(57)【特許請求の範囲】
【請求項１】
床暖房パネル（２）のように温調水によって温度調節を行う温調機器に接続された複数本の供給管（３ａ）にそれぞれ温調水（８）を供給する温調水供給装置（１）であって、上記温調水（８）が流れる往き管（１０）の出口に接続されると共に、複数本の上記供給管（３ａ）がそれぞれ接続されるヘッダ（４）を備え、上記ヘッダ（４）は、略筒状のヘッダ本体（４ａ）の基端部に上記往き管（１０）が接続される主管接続部（４ｂ）を形成すると共に、上記ヘッダ本体（４ａ）の外周部には上記供給管（３ａ）が接続される複数個の分岐管接続部（４ｃ）を長手方向に並設して成る温調水供給装置において、上記ヘッダ（４）を、上記ヘッダ本体（４ａ）の軸心回りに位置調整可能に構成し、さらに、上記ヘッダ（４）を略水平方向に配置すると共に、上記供給管（３ａ）を装置背部の上方又は下方から外部へ引き出すように構成し、さらに装置背部を覆う裏蓋（５８）の取付位置を上記供給管（３ａ）の引出し位置に応じて下方又は上方に変更可能に構成したことを特徴とする温調水供給装置。
【請求項２】
上記ヘッダ（４）を、特定の調整位置で固定可能に構成したことを特徴とする請求項１の温調水供給装置。
【請求項３】
熱交換器（１６）を備えると共に、この熱交換器（１６）とヒートポンプ式の空気調和装置（１７）の室外機（１８）が備える室外熱交換器（１９）との間で冷媒循環回路を構成して上記温調水（８）を加熱又は冷却可能とし、さらに上記室外機（１８）の上面側又は下面側に当該装置を設置可能に構成したことを特徴とする請求項１又は請求項２の温調水供給装置。
【請求項４】
熱交換器（１６）を備えると共に、この熱交換器（１６）とヒートポンプ式の空気調和装置（１７）の室外機（１８）が備える室外熱交換器（１９）との間で冷媒循環回路を構成して上記温調水（８）を加熱又は冷却可能とし、さらに上記室外機（１８）のケーシング内に当該装置を組み込んで一体的に構成したことを特徴とする請求項１又は請求項２の温調水供給装置。
【発明の詳細な説明】
【０００１】
【発明の属する技術分野】
この発明は、温調水として例えば温水を床暖房パネルに循環供給して床暖房を行う暖房設備などに好適に用いられる温調水供給装置に関するものであり、特に、温調水を複数本の供給管に分流するヘッダを備える温調水供給装置に関するものである。
【０００２】
【従来の技術】
図１５は、従来の温水循環供給装置７１の側断面図である。温水循環供給装置７１は、図示しない温水往き管に接続される往きヘッダ７２と、図示しない温水戻り管に接続される戻りヘッダ７３とを備える。
【０００３】
上記ヘッダ７２、７３は、略筒状のヘッダ本体の基端部に主管が接続される主管接続部を形成すると共に、上記ヘッダ本体の外周部には分岐管が接続される複数個の分岐管接続部７４を長手方向に並設して構成される。そして、往きヘッダ７２の分岐管接続部７４には連絡配管７５が接続され、また戻りヘッダ７３の分岐管接続部７４には連絡配管７６が接続される。連絡配管７５、７６は、家屋７７の基礎部分７８の外壁７９に設けられた配管接続部８０と温水循環供給装置７１とを接続するものである。
【０００４】
【発明が解決しようとする課題】
上記ヘッダ７２、７３は往き管、戻り管に固定されており、分岐管接続部７４は特定の方向を向いて固定されている。例えば図１５に示す温水循環供給装置７１では、斜め下向きで固定されている。そして、連絡配管７５、７６は温水循環供給装置７１の背部下方から外部に引き出すように構成している。この構成では、外壁７９の配管接続部８０が連絡配管７５、７６の引出し位置とほぼ同じ高さに位置している場合は、連絡配管７５、７６をスムーズに配管することができるが、図１５に示すように配管接続部８０が引出し位置よりも上方に位置している場合は、連絡配管７５、７６を上方に曲げて配管しなければならない。
【０００５】
通常、連絡配管７５、７６には断熱のために外周部に断熱材を巻き付けており、少なくとも３０ｍｍ以上の外径となるので、曲げにくい。そのため、無理矢理曲げて配管するのは作業がやりにくく、また折曲げ部分にストレスがかかり、連絡配管７５、７６が破損するおそれがある。また、温水循環供給装置７１と外壁７９との隙間を大きくすれば、ストレスがかからない程度に曲げた状態で連絡配管７５、７６を配管することはできるが、この場合はエクステリア性が悪くなるという問題が生じる。さらに、温水循環供給装置７１を置台８１の上に設置し、連絡配管７５、７６の引出し位置を外壁７９の配管接続部８０とほぼ同じ高さに調整してから配管を行う方法もある。しかし、配管接続部８０の地面８２からの高さは家屋７７によって異なるため、高さの異なる複数種類の置台８１を準備する必要があり、コスト高になるという問題がある。
【０００６】
上記の問題は、図１６に示すように分岐管接続部７４がほぼ水平横向きで固定され、連絡配管７５、７６を背部上方から外部に引き出すように構成した温水循環供給装置８３においても、同様に生じている。
【０００７】
この発明は上記従来の欠点を解決するためになされたものであり、その目的は、いかなる設置場所であっても、ヘッダの分岐管接続部に接続された分岐管にかかるストレスを緩和して、スムーズに配管作業を行うことができる温調水供給装置を提供することにある。
【０００８】
【課題を解決するための手段】
そこで請求項１の温調水供給装置は、床暖房パネル２のように温調水によって温度調節を行う温調機器に接続された複数本の供給管３ａにそれぞれ温調水８を供給する温調水供給装置１であって、上記温調水８が流れる往き管１０の出口に接続されると共に、複数本の上記供給管３ａがそれぞれ接続されるヘッダ４を備え、上記ヘッダ４は、略筒状のヘッダ本体４ａの基端部に上記往き管１０が接続される主管接続部４ｂを形成すると共に、上記ヘッダ本体４ａの外周部には上記供給管３ａが接続される複数個の分岐管接続部４ｃを長手方向に並設して成る温調水供給装置において、上記ヘッダ４を、上記ヘッダ本体４ａの軸心回りに位置調整可能に構成し、さらに、上記ヘッダ４を略水平方向に配置すると共に、上記供給管３ａを装置背部の上方又は下方から外部へ引き出すように構成し、さらに装置背部を覆う裏蓋５８の取付位置を上記供給管３ａの引出し位置に応じて下方又は上方に変更可能に構成したことを特徴としている。
【０００９】
上記請求項１の温調水供給装置では、ヘッダ４はヘッダ本体４ａの軸心回りに位置調整可能であるので、分岐管接続部４ｃを最適な向きに設定することができる。これによって、供給管３ａにかかるストレスが小さくなるように配管できるようになると共に、配管作業もスムーズに行うことができるようになる。従って、設置場所に応じた最適な配管が可能となり、汎用性及び利便性が向上する。しかも、供給管３ａの引出し位置に応じて裏蓋５８の取付位置を変更できるので、背部から装置内部に雨や埃といった異物が侵入することを極力防止することができる。これによって、内部の部品の劣化を防止して装置の信頼性及び耐久性を向上させることができる。
【００１０】
また請求項２の温調水供給装置は、上記ヘッダ４を、特定の調整位置で固定可能に構成したことを特徴としている。
【００１１】
上記請求項２の温調水供給装置では、ヘッダ４は特定の調整位置で固定可能であるので、配管後にヘッダ４が動くことを防止して供給管３ａを最適な接続状態で保持することができる。
【００１４】
請求項３の温調水供給装置は、熱交換器１６を備えると共に、この熱交換器１６とヒートポンプ式の空気調和装置１７の室外機１８が備える室外熱交換器１９との間で冷媒循環回路を構成して上記温調水８を加熱又は冷却可能とし、さらに上記室外機１８の上面側又は下面側に当該装置を設置可能に構成したことを特徴としている。
【００１５】
上記請求項３の温調水供給装置では、ヒートポンプ式の空気調和装置１７の室外機１８の上面側又は下面側に設置可能であるので、設置スペースが限られた狭い場所でも設置することができる。また、温調水８の加熱又は冷却に必要な構成の一部を室外機１８と共用しているので、低コスト化並びに構成の簡素化及び小型化を図ることができる。
【００１６】
請求項４の温調水供給装置は、熱交換器１６を備えると共に、この熱交換器１６とヒートポンプ式の空気調和装置１７の室外機１８が備える室外熱交換器１９との間で冷媒循環回路を構成して上記温調水８を加熱又は冷却可能とし、さらに上記室外機１８のケーシング内に当該装置を組み込んで一体的に構成したことを特徴としている。
【００１７】
請求項４の温調水供給装置では、室外機１８と一体的に構成したことによって室外機１８を含めた室外設置部分の構成全体の小型化を図ることができる。これによって、設置スペースが限られた狭い場所でも設置することができる。また、請求項４のように室外機１８と重ねて設置する場合に比べて、設置作業が簡単になると共に、安定した状態で設置することができる。
【００１８】
【発明の実施の形態】
次に、この発明の温調水供給装置の具体的な実施の形態について、図面を参照しつつ詳細に説明する。図１は、本発明の一実施の形態である床暖房ユニット（温調水供給装置）１の概略的構成を示す背部から見た断面図であり、図２は床暖房ユニット１を利用した暖房設備を示す概略図であり、図３は床暖房ユニット１の機能を説明するための構成図である。
【００１９】
床暖房ユニット１は、図２に示すように、家屋の床下に配置された温調機器である床暖房パネル２に、温調水８を循環供給する。床暖房ユニット１と床暖房パネル２とは、連絡配管３によって接続されている。連絡配管３は、温水往き配管（供給管）３ａと温水戻り配管３ｂとから成る。温水往き配管３ａの一端は床暖房ユニット１の往きヘッダ４に接続され、他端は床暖房パネル２の接続部５に接続され、また温水戻り配管３ｂの一端は床暖房ユニット１の戻りヘッダ６に接続され、他端は床暖房パネル２の接続部５に接続される。
【００２０】
床暖房ユニット１は、仕切板４５によって概ね機械室１ａとヘッダ室１ｂとに区分されている。そして、機械室１ａには簡易密閉型の膨張タンク７が配置され、この膨張タンク７に蓄えられた温調水８はポンプ９によって往き管１０に供給される。この往き管１０の出口側に形成された接続部１０ａは仕切板４５からヘッダ室１ｂに突出しており、この接続部１０ａに往きヘッダ４が略水平方向に接続されている。往きヘッダ４は、略筒状のヘッダ本体４ａの基端部に往き管１０が接続される主管接続部４ｂを形成すると共に、ヘッダ本体４ａの外周部には温水往き配管３ａが接続される複数個（本実施形態では、４個）の分岐管接続部４ｃを長手方向に並設して成る。従って、温調水８は往きヘッダ４によって分流されて複数本の温水往き配管３ａにそれぞれ供給される。
【００２１】
温水往き配管３ａの温調水８は、床暖房パネル２の温水循環パイプ１１を流通した後に、温水戻り配管３ｂを通って戻りヘッダ６に戻ってくる。戻りヘッダ６は戻り管１２の入口側に形成された接続部１２ａに略水平方向に接続されている。尚、接続部１２ａは仕切板４５からヘッダ室１ｂに突出している。戻りヘッダ６は、往きヘッダ４と同様に、略筒状のヘッダ本体６ａの基端部に戻り管１２が接続される主管接続部６ｂを形成すると共に、ヘッダ本体６ａの外周部には温水戻り配管３ｂが接続される複数個の分岐管接続部６ｃを長手方向に並設して成り、さらに各分岐管接続部６ｃに対応させて熱動弁１３が付設されている。従って、戻ってきた温調水８は戻りヘッダ６によって合流されて戻り管１２に供給される。戻り管１２の温調水８は、膨張タンク７に戻される。
【００２２】
尚、図２では、１本の連絡配管３のみを示したが、図示しない他の連絡配管３についても同様に床暖房パネル２や他の温調機器に接続されている。また、膨張タンク７には水位を検出するフロートスイッチ１４が設けられており、所定の水位以下になったことが検出されたときは、床暖房ユニット１の上面の給水口１５から水を補給する。
【００２３】
ところで、床暖房ユニット１では温調水８を加熱して所定の温度にする必要がある。温調水８の加熱方法はいろいろあるが、本実施の形態では熱交換器１６を使用し、この熱交換器１６とヒートポンプ式の空気調和装置１７の室外機１８が備える室外熱交換器１９との間で冷媒循環回路を構成して、戻り管１２を流れる温調水８を加熱するようにしている。
【００２４】
空気調和装置１７は、室外機１８と室内機２０とで構成されている。この空気調和装置１７では、冷媒が循環可能な順序で、圧縮機２１、室外ファン１９ａを付設した室外熱交換器１９、減圧機構２２、図示しない室内熱交換器を接続して冷媒循環回路を構成している。より詳しく説明すると、圧縮機２１の吐出管２１ａと吸入管２１ｂとが四路切換弁２３に接続され、この四路切換弁２３には第１ガス管２４ａ、室外熱交換器１９、第１液管２４ｂ、減圧機構２２、第２液管２４ｃ、室内熱交換器及び第２ガス管２４ｄが、順番に環状に接続されている。
【００２５】
また、第２液管２４ｃにはヘッダ２６が介設され、ヘッダ２６から室内熱交換器との間の部分が連絡配管２５の液管２５ａとなる。同様に第２ガス管２４ｄにはヘッダ２７が介設され、ヘッダ２７から室内熱交換器との間の部分が連絡配管２５のガス管２５ｂとなっている。そして、ヘッダ２６に接続されたもう１つの連絡配管２８の液管２８ａは、床暖房ユニット１の熱交換器１６の一端に接続され、またヘッダ２７に接続された連絡配管２８のガス管２８ｂは熱交換器１６の他端に接続されている。これによって、四路切換弁２３には室外熱交換器１９、減圧機構２２及び床暖房ユニット１の熱交換器１６が環状に接続されることになる。
【００２６】
さらに、減圧機構２２とヘッダ２６との間には液閉鎖弁２９が介設され、四路切換弁２３とヘッダ２７との間にはガス閉鎖弁３０が介設され、また圧縮機２１の吸入管２１ｂにはアキュムレータ３１が介設されている。尚、室外機１８が備える電装品３２には、図示しない電源から例えば２００Ｖ、２０Ａの電力が供給され、室外機１８内の電気的制御が行われる。また、室外機１８の電装品３２は、室内機２０が備える電装品（図示せず）と接続されると共に、床暖房ユニット１が備える電装品３３とも接続されている。
【００２７】
この空気調和装置１７では、リモコン等の操作手段からの指示に基づいて、冷房運転又は暖房運転が可能である。冷房運転を行う場合には、四路切換弁２３を図３に示す実線方向とは逆に切り換えて、冷媒を圧縮機２１から順に室外熱交換器１９、減圧機構２２、室内熱交換器と流通させ、室外熱交換器１９を凝縮器として機能させると共に、室内熱交換器を蒸発器として機能させる。そして、室内熱交換器で吸収した熱量を冷媒を介して室外に放出することによって、室内の温度を下げて冷房を行う。
【００２８】
一方、暖房運転を行う場合には、四路切換弁２３を図３に示す実線方向に切り換えて、冷媒を圧縮機４から順に室内熱交換器、減圧機構２２、室外熱交換器１９と流通させ、室外熱交換器１９を蒸発器として機能させると共に、室内熱交換器を凝縮器として機能させる。そして、室外熱交換器１９で吸収した熱量を冷媒を介して室内に放出することによって、室内の温度を上昇させて暖房を行う。
【００２９】
ここで、室外機１８を暖房運転状態とし、室内熱交換器に代えて床暖房ユニット１の熱交換器１６に冷媒を流通させ、この熱交換器１６を凝縮器として機能させれば、戻り管１２を流れる温調水８を加熱することができる。また、室外機１８を冷房運転状態として、熱交換器１６に冷媒を流通させ、熱交換器１６を蒸発器として機能させれば、温調水８を冷却することもできる。
【００３０】
尚、連絡配管２５、２８の各液管２５ａ、２８ａはそれぞれ開閉弁３４、３５を介してヘッダ２６に接続されており、この開閉弁３４、３５の開閉を適宜制御することによって、室内機２０及び床暖房ユニット１の両方に冷媒を供給するか、いずれか一方のみに供給するかを切り換えることができる。すなわち、ユーザは、室内暖房と床暖房とを同時に行うか、いずれか一方のみを行うかを選択することができる。
【００３１】
次に、往きヘッダ４の接続構造について説明する。図４は、往きヘッダ４付近の拡大斜視図であり、図５は往きヘッダ４の接続構造を分解して示す平面図であり、図６は接続に用いるクイックファスナ４０の斜視図である。
【００３２】
クイックファスナ４０は、一対の挟圧片４１ａ、４１ｂの各一端部を連結部４２で連結して成る。各挟圧片４１ａ、４１ｂの連結部４２側及び先端側は概ね平板状に形成される一方で、中央部分は主管接続部４ｂ及び接続部１０ａの外周部に沿って圧接されるように外側に円弧状に形成される。さらに、各挟圧片４１ａ、４１ｂには、連結部４２側から先端側まで延びる長孔４３ａ、４３ｂが形成されている。
【００３３】
一方、往き管１０は、仕切板４５の適当な位置に接続部１０ａをヘッダ室１ｂ側に突出させて固定されている。往き管１０のヘッダ室１ｂ側には、抜止めのためのストッパ４６が設けられている。そして、接続部１０ａは往き管１０の外径よりも大きく形成され、さらに先端にはつば部４７を有する。
【００３４】
また、往きヘッダ４の主管接続部４ｂは、ヘッダ本体４ａの外径よりも大きく、かつ往き管１０の接続部１０ａとほぼ同径に形成され、外側には上記つば部４７と同形状のつば部４８を有し、さらに基端側には連結突起４９を有する。この連結突起４９は、往き管１０の接続部１０ａの出口内径とほぼ同じ外径に形成されると共に、その外周部にはＯリング（図示せず）を嵌入する溝部４９ａが形成されている。
【００３５】
接続にあたっては、まず往きヘッダ４の主管接続部４ｂの連結突起４９ａを、往き管１０の接続部１０ａの出口に挿入すると共に、つば部４７、４８どおしが接触するまで嵌入する。それから、クイックファスナ４０を挟圧片４１ａ、４１ｂの弾発力に抗して横から差し込んで、つば部４７、４８を長孔４３ａ、４３ｂから突出させると共に、挟圧片４１ａ、４１ｂが主管接続部４ｂ及び接続部１０ａの外周に圧接されるように装着する。ここで、つば部４７、４８の厚みの和と長孔４３ａ、４３ｂの短径とをほぼ等しく設定しておくことによって、往きヘッダ４はヘッダ本体４ａの軸心方向の移動は規制されるが、軸心回りには位置調整可能に往き管１０に接続される。
【００３６】
また、主管接続部４ｂと接続部１０ａとの接続だけでは、分岐管接続部４ｃに温水往き配管３ａを接続した際などに、接続部分に負荷がかかり、スムーズな回転が妨げられ、さらには破損するおそれもあるため、往きヘッダ４の先端部を載置台５０に載せると共に、押さえ金具５１で押圧している。押さえ金具５１は、例えばボルト５２、５２を用いて載置台５０に取着される。これによって、往きヘッダ４をスムーズにかつ安定して回転（位置調整）させることができる。尚、戻り管１２と戻りヘッダ６との接続状態、特に戻り管１２の接続部１２ａと戻りヘッダ６の主管接続部６ｂとの接続構造も、往きヘッダ４と同様である。また、分岐管接続部４ｃ、６ｃと温水往き配管３ａ、温水戻り配管３ｂとの間も、クイックファスナ４０を用いて接続される。
【００３７】
ところで、押さえ金具５１で押圧した状態では、所定の力を加えると往きヘッダ４及び戻りヘッダ６はその軸心回りに動いてしまう。そこで、往きヘッダ４及び戻りヘッダ６を特定の調整位置で固定できるように構成してもよい。図７は、往きヘッダ４の固定構造の一例を示す斜視図である。
【００３８】
往きヘッダ４は、ヘッダ本体４ａの先端部に略円盤状の取付部材５３を有している。取付部材５３は、複数個（図７では５個）の位置決め孔５４…５４を有する。この位置決め孔５４…５４は、略同一円周上に一定の間隔で形成されている。一方、往きヘッダ４の先端側に配置した仕切板５５には、所定の位置にねじ孔（図示せず）が形成されている。そして、往きヘッダ４を軸心回りに調整して複数個の位置決め孔５４…５４のいずれか１つと上記ねじ孔とを連通させてから、ボルト５６をその位置決め孔５４に挿入してねじ孔に螺合する。これによって、往きヘッダ４は特定の調整位置で固定される。尚、戻りヘッダ６についても同様の固定構造を適用できる。また、仕切板５５を新たに配置する代わりに、床暖房ユニット１の側板５７（図１参照）を利用してもよい。
【００３９】
上述したように往きヘッダ４及び戻りヘッダ６はその軸心回りに位置調整可能であるので、ヘッダ４、６に接続される連絡配管３を床暖房パネル２の接続部５の高さに応じて最適な位置から外部に引き出すことができる。例えば、接続部５が床暖房ユニット１の載置面６０から比較的高い位置にあるときは、図８に示すように連絡配管３を床暖房ユニット１の背部上方から引き出せばよい。また、接続部５が載置面６０に近い位置（低い位置）にあるときは、図９に示すように連絡配管３を背部下方から引き出せばよい。このとき、床暖房ユニット１の背部、正確にはヘッダ室１ｂの背部に裏蓋５８を取着した方がよい。これは、ヘッダ室１ｂが外部に露出したままでは、雨や埃といった異物が侵入し、内部の部品が劣化したり、故障したりするからである。
【００４０】
本実施の形態では、裏蓋５８の取付位置を、図８に示すように下側の取付位置と、図９に示すように上側の取付位置とに変更可能に構成している。この構成は、裏蓋５８を固定するためのボルト５９を螺合するねじ孔を、上記２つの取付位置に対応させて予め形成しておくことで容易に実現することができる。
【００４１】
図１０は、床暖房ユニット１の設置例を示す斜視図であり、図１１はその側面図である。上述の説明では、図８及び図９に示したように、床暖房ユニット１を地面などの載置面６０に直接設置したけれども、空気調和装置１７の室外機１８の上面側に設置できるように構成してもよい。室外機１８は載置面６０に置台６２、６２を介在させて設置しており、さらに室外機１８の上面には専用置台６１、６１を介在させて床暖房ユニット１を設置する。この設置構造は、設置スペースが狭い場合に有効である。
【００４２】
また、図１２に示すように、床暖房ユニット１を室外機１８の下面側に設置できるように構成してもよい。この場合は、床暖房ユニット１を載置面６０に置台６２、６２を介在させて設置しており、さらに床暖房ユニット１の上面に専用置台６１、６１を介在させて室外機１８を設置する。この設置構造も、設置スペースが狭い場合に有効である。
【００４３】
図１３は、床暖房ユニット１の他の構成例を示す概略正面図である。この構成例では、室外機１８のケーシング内に床暖房ユニット１を組み込んで一体的に構成しており、例えば室外機１８内の下側が室外機部分３７であり、上側が床暖房ユニット部分３６である。
【００４４】
このように床暖房ユニット１を室外機１８と一体的に構成したことによって、室外設置部分の構成全体の小型化を図ることができる。また、図１０及び図１２に示すように室外機１８と重ねて設置する場合に比べて、設置作業が簡単になると共に、安定した状態で設置することができる。
【００４５】
さらに、一体構成型の場合は、図１４に示すように、２台の室外機１８Ａ、１８Ｂを並べて設置する際にも有利である。例えば、外側の室外機１８Ａは家屋７７の２階部分の床暖房及び空調のために設置しており、従って往きヘッダ４及び戻りヘッダ６は上方を向いている。一方、家屋７７側の室外機１８Ｂは１階部分の床暖房及び空調のために設置しており、従って往きヘッダ４及び戻りヘッダ６は下方を向いている。このように２台の室外機１８Ａ、１８Ｂを並置する場合、室外機１８と床暖房ユニット１とが別体の場合に比べて、設置作業が簡単になる。
【００４６】
以上のように本実施の形態によれば、往きヘッダ４はヘッダ本体４ａの軸心回りに位置調整可能であるので、分岐管接続部４ｃを最適な向きに設定することができる。これによって、温水往き配管３ａにかかるストレスが小さくなるように配管できるようになると共に、配管作業もスムーズに行うことができるようになる。これは、戻りヘッダ６に接続される温水戻り配管３ｂについても同様である。従って、床暖房ユニット１の設置場所に応じた最適な配管が可能となり、汎用性及び利便性が向上する。
【００４７】
また、往きヘッダ４及び戻りヘッダ６は特定の調整位置で固定することもできるので、配管後にヘッダ４、６が動くことを防止して、連絡配管３を最適な接続状態で保持することができる。
【００４８】
さらに、連絡配管３の引出し位置に応じて裏蓋５８の取付位置を上側又は下側に変更できるので、背部から床暖房ユニット１の内部に雨や埃といった異物が侵入することを防止できる。これによって、床暖房ユニット１の内部の部品の劣化を防止して信頼性及び耐久性を向上させることができる。
【００４９】
また、床暖房ユニット１では、温調水８の加熱に必要な構成の一部を、ヒートポンプ式の空気調和装置１７の室外機１８と共用しているので、低コスト化並びに構成の簡素化及び小型化を図ることができる。さらに、床暖房ユニット１は室外機１８の上面側又は下面側に設置可能であるので、設置スペースが限られた狭い場所でも設置することができる。
【００５０】
また、床暖房ユニット１を室外機１８と一体的に構成してもよい。この場合は、室外設置部分の構成全体の小型化を図ることができるので、より狭い場所でも設置することができる。さらに、設置作業が簡単になると共に、安定した状態で設置することができる。
【００５１】
尚、上述の実施の形態では、循環タイプの床暖房ユニット１に適用した場合を説明したけれども、温調水８を循環させずに、単に複数本の温水往き配管３ａ…３ａに分流して供給するタイプの床暖房ユニット１に適用しても良い。
【００５２】
【発明の効果】
以上のように請求項１の温調水供給装置によれば、ヘッダの分岐管接続部を最適な向きに設定することができるので、供給管にかかるストレスが小さくなるように配管できるようになると共に、配管作業もスムーズに行うことができるようになる。これによって、設置場所に応じた最適な配管が可能となり、汎用性及び利便性が向上する。しかも、供給管の引出し位置に応じて裏蓋の取付位置を変更できるので、背部から装置内部に雨や埃といった異物が侵入することを極力防止することができ、内部の部品の劣化を防止して装置の信頼性及び耐久性を向上させることができる。
【００５３】
また請求項２の温調水供給装置によれば、配管後にヘッダが動くことを防止して供給管を最適な接続状態で保持することができる。
【００５５】
請求項３の温調水供給装置によれば、空気調和装置の室外機の上面側又は下面側に設置可能であるので、設置スペースが限られた狭い場所でも設置することができる。また、構成の一部を室外機と共用しているので、低コスト化並びに構成の簡素化及び小型化を図ることができる。
【００５６】
請求項４の温調水供給装置によれば、室外機と一体的に構成したことによって室外機を含めた室外設置部分の構成全体の小型化を図ることができるので、設置スペースが限られた狭い場所でも設置することができる。また、室外機と重ねて設置する場合に比べて、設置作業が簡単になると共に、安定した状態で設置することができる。
【図面の簡単な説明】
【図１】本発明の一実施の形態である床暖房ユニットの概略的構成を示す背部から見た断面図である。
【図２】上記床暖房ユニットを利用した暖房設備を示す概略図である。
【図３】上記床暖房ユニットの機能を説明するための構成図である。
【図４】上記床暖房ユニットが備える往きヘッダ付近の拡大斜視図である。
【図５】上記往きヘッダの接続構造を分解して示す平面図である。
【図６】上記接続構造に用いるクイックファスナの斜視図である。
【図７】上記往きヘッダの固定構造の一例を示す斜視図である。
【図８】上記床暖房ユニットの配管の一態様を示し、（ａ）は側断面図であり、（ｂ）は背面図である。
【図９】上記床暖房ユニットの配管の他の態様を示し、（ａ）は側断面図であり、（ｂ）は背面図である。
【図１０】上記床暖房ユニットの設置例を示す斜視図である。
【図１１】図１０の側面図である。
【図１２】上記床暖房ユニットの他の設置例を示す斜視図である。
【図１３】床暖房ユニットを一体的に組み込んだ室外機の概略正面図である。
【図１４】図１３に示す室外機の設置例を示す側面図である。
【図１５】従来の技術を示す側面図である。
【図１６】従来の技術を示す側面図である。
【符号の説明】
１    床暖房ユニット
２    床暖房パネル
３    連絡配管
３ａ  温水往き配管
３ｂ  温水戻り配管
４    往きヘッダ
４ａ  ヘッダ本体
４ｂ  主管接続部
４ｃ  分岐管接続部
５    接続部
６    戻りヘッダ
６ａ  ヘッダ本体
６ｂ  主管接続部
６ｃ  分岐管接続部
８    温調水
１０    往き管
１０ａ  接続部
１２    戻り管
１２ａ  接続部
１６    熱交換器
１７    空気調和装置
１８    室外機
１９    室外熱交換器
４０    クイックファスナ
４１ａ  挟圧片
４１ｂ  挟圧片
４２    連結部
４３ａ  長孔
４３ｂ  長孔
４７    つば部
４８    つば部
４９    連結突起
５０    載置台
５１    押さえ金具
５３    取付部材
５４    位置決め孔
５５    仕切板
５６    ボルト
５８    裏蓋
５９    ボルト
６１    専用置台
【図１】
0003632484.tif 000002
【図２】
0003632484.tif 000003
【図３】
0003632484.tif 000004
【図４】
0003632484.tif 000005
【図５】
0003632484.tif 000006
【図６】
0003632484.tif 000007
【図７】
0003632484.tif 000008
【図８】
0003632484.tif 000009
【図９】
0003632484.tif 000010
【図１０】
0003632484.tif 000011
【図１１】
0003632484.tif 000012
【図１２】
0003632484.tif 000013
【図１３】
0003632484.tif 000014
【図１４】
0003632484.tif 000015
【図１５】
0003632484.tif 000016
【図１６】
0003632484.tif 000017